【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
フレキシブルイーサネット（Ｆｌｅｘ  Ｅｔｈｅｒｎｅｔ）ベースのネットワークシステムにおけるデータ通信ネットワーク（ＤＣＮ）情報処理の方法であって、前記ＤＣＮは、ネットワーク管理システム（ＮＭＳ）と、第１のネットワークデバイスと、第２のネットワークデバイスとを有し、前記方法は、
前記ＮＭＳとの通信接続を確立するために用いられる情報を、前記第１のネットワークデバイスが取得する段階と、
フレキシブルイーサネットオーバーヘッドマルチフレーム（Ｆｌｅｘ  Ｅｔｈｅｒｎｅｔオーバーヘッドマルチフレーム）に前記情報を、前記第１のネットワークデバイスがロードする段階と、
物理リンクを使用することによって、前記Ｆｌｅｘ  Ｅｔｈｅｒｎｅｔオーバーヘッドマルチフレームを前記第２のネットワークデバイスへ、前記第１のネットワークデバイスが送信する段階であって、その結果、前記第２のネットワークデバイスが、前記情報を前記Ｆｌｅｘ  Ｅｔｈｅｒｎｅｔオーバーヘッドマルチフレームから抽出し、前記情報を前記ＮＭＳへ転送し、前記第１のネットワークデバイスと前記第２のネットワークデバイスが前記物理リンクを使用することによって接続される、段階とを備える
方法。
【請求項２】
Ｆｌｅｘ  Ｅｔｈｅｒｎｅｔオーバーヘッドマルチフレームに前記情報を、前記第１のネットワークデバイスが前記ロードする段階は、
前記第１のネットワークデバイスが、前記Ｆｌｅｘ  Ｅｔｈｅｒｎｅｔオーバーヘッドマルチフレームのセクション管理チャネルに前記情報をロードする段階、または、
前記情報を前記Ｆｌｅｘ  Ｅｔｈｅｒｎｅｔオーバーヘッドマルチフレームのシムツーシム管理チャネルに前記第１のネットワークデバイスがロードする段階、または、
前記第１のネットワークデバイスが、前記情報を分割し、前記情報を前記Ｆｌｅｘ  Ｅｔｈｅｒｎｅｔオーバーヘッドマルチフレームのセクション管理チャネルおよびシムツーシム管理チャネルにロードする段階を含む
請求項１に記載の方法。
【請求項３】
前記通信接続が前記第１のネットワークデバイスと前記ＮＭＳとの間で確立された後に、Ｆｌｅｘ  Ｅｔｈｅｒｎｅｔクライアントを介して前記第２のネットワークデバイスへ、前記第１のネットワークデバイスを管理するために前記ＮＭＳにより用いられる情報を前記第１のネットワークデバイスが送信する段階を更に備える
請求項１または２に記載の方法。
【請求項４】
フレキシブルイーサネット（Ｆｌｅｘ  Ｅｔｈｅｒｎｅｔ）ベースのネットワークシステム及びデータ通信ネットワーク（ＤＣＮ）において第１のネットワークデバイスとして用いられるネットワークデバイスであって、前記ＤＣＮも、ネットワーク管理システム（ＮＭＳ）と、第２のネットワークデバイスとを有し、前記第１のネットワークデバイスは、
前記ＮＭＳとの通信接続を確立するために用いられる情報を取得し、フレキシブルイーサネットオーバーヘッドマルチフレーム（Ｆｌｅｘ  Ｅｔｈｅｒｎｅｔオーバーヘッドマルチフレーム）に前記情報をロードするよう構成されるロードユニットと、
物理リンクを介して、前記Ｆｌｅｘ  Ｅｔｈｅｒｎｅｔオーバーヘッドマルチフレームを前記第２のネットワークデバイスへ送信するよう構成される送信ユニットであって、その結果、前記第２のネットワークデバイスが、前記情報を前記Ｆｌｅｘ  Ｅｔｈｅｒｎｅｔオーバーヘッドマルチフレームから抽出し、前記情報を前記ＮＭＳへ転送し、前記第１のネットワークデバイスと前記第２のネットワークデバイスが前記物理リンクを使用することによって接続される、送信ユニットとを備える
ネットワークデバイス。
【請求項５】
前記ロードユニットは、
前記Ｆｌｅｘ  Ｅｔｈｅｒｎｅｔオーバーヘッドマルチフレームのセクション管理チャネルに前記情報をロードする、または、
前記情報を前記Ｆｌｅｘ  Ｅｔｈｅｒｎｅｔオーバーヘッドマルチフレームのシムツーシム管理チャネルにロードする、または、
前記情報を前記Ｆｌｅｘ  Ｅｔｈｅｒｎｅｔオーバーヘッドマルチフレームのセクション管理チャネルおよびシムツーシム管理チャネルにロードするよう構成される、
請求項４に記載のネットワークデバイス。
【請求項６】
切替ユニットを更に備え、
前記切替ユニットは、前記通信接続が前記第１のネットワークデバイスと前記ＮＭＳとの間で確立された後に、Ｆｌｅｘ  Ｅｔｈｅｒｎｅｔクライアントを介して前記第２のネットワークデバイスへ、前記第１のネットワークデバイスを管理するために前記ＮＭＳにより用いられる情報を送信するよう構成される、
請求項４または５に記載のネットワークデバイス。
【請求項７】
フレキシブルイーサネット（Ｆｌｅｘ  Ｅｔｈｅｒｎｅｔ）ベースのネットワークシステムにおけるデータ通信ネットワーク（ＤＣＮ）情報処理の方法であって、前記ＤＣＮは、ネットワーク管理システム（ＮＭＳ）と、第１のネットワークデバイスと、第２のネットワークデバイスとを有し、前記方法は、
物理リンクを介して前記第１のネットワークデバイスにより送信されたフレキシブルイーサネットオーバーヘッドマルチフレーム（Ｆｌｅｘ  Ｅｔｈｅｒｎｅｔオーバーヘッドマルチフレーム）を前記第２のネットワークデバイスが受信し、前記ＮＭＳとの通信接続を確立するために用いられる情報を前記Ｆｌｅｘ  Ｅｔｈｅｒｎｅｔオーバーヘッドマルチフレームから抽出する段階であって、前記第１のネットワークデバイスと前記第２のネットワークデバイスが前記物理リンクを使用することによって接続される、段階と、
前記情報を宛先アドレスに基づいて前記ＮＭＳへ前記第２のネットワークデバイスが送信する段階とを備える
方法。
【請求項８】
情報を前記Ｆｌｅｘ  Ｅｔｈｅｒｎｅｔオーバーヘッドマルチフレームから前記第２のネットワークデバイスが前記抽出する段階は、
前記Ｆｌｅｘ  Ｅｔｈｅｒｎｅｔオーバーヘッドマルチフレームのセクション管理チャネルから前記情報を、前記第２のネットワークデバイスが抽出する段階、または、
前記情報を前記Ｆｌｅｘ  Ｅｔｈｅｒｎｅｔオーバーヘッドマルチフレームのシムツーシム管理チャネルから、前記第２のネットワークデバイスが抽出する段階、または、
前記情報を前記Ｆｌｅｘ  Ｅｔｈｅｒｎｅｔオーバーヘッドマルチフレームのセクション管理チャネルおよびシムツーシム管理チャネルから、前記第２のネットワークデバイスが抽出する段階を含む
請求項７に記載の方法。
【請求項９】
フレキシブルイーサネット（Ｆｌｅｘ  Ｅｔｈｅｒｎｅｔ）ベースのネットワークシステム及びデータ通信ネットワーク（ＤＣＮ）において第２のネットワークデバイスとして用いられるネットワークデバイスであって、前記ＤＣＮも、ネットワーク管理システム（ＮＭＳ）と、第２のネットワークデバイスとを有し、前記第２のネットワークデバイスは、
物理リンクを介して第１のネットワークデバイスにより送信されたフレキシブルイーサネットオーバーヘッドマルチフレーム（Ｆｌｅｘ  Ｅｔｈｅｒｎｅｔオーバーヘッドマルチフレーム）を受信し、前記ＮＭＳとの通信接続を確立するために用いられる情報を前記Ｆｌｅｘ  Ｅｔｈｅｒｎｅｔオーバーヘッドマルチフレームから抽出するよう構成される抽出ユニットであって、前記第１のネットワークデバイスと前記第２のネットワークデバイスが前記物理リンクを使用することによって接続される、抽出ユニットと、
前記情報を前記ＮＭＳへ送信するよう構成される送信ユニットとを備える
ネットワークデバイス。
【請求項１０】
前記抽出ユニットは、前記Ｆｌｅｘ  Ｅｔｈｅｒｎｅｔオーバーヘッドマルチフレームのセクション管理チャネルから前記情報を抽出する、または、前記情報を前記Ｆｌｅｘ  Ｅｔｈｅｒｎｅｔオーバーヘッドマルチフレームのシムツーシム管理チャネルから抽出する、または、前記情報を前記Ｆｌｅｘ  Ｅｔｈｅｒｎｅｔオーバーヘッドマルチフレームのセクション管理チャネルおよびシムツーシム管理チャネルから抽出するよう構成される
請求項９に記載のネットワークデバイス。
【請求項１１】
ネットワーク管理システム（ＮＭＳ）と第１のネットワークデバイスと第２のネットワークデバイスとを備えるフレキシブルイーサネットベースのネットワークシステムであって、
前記第１のネットワークデバイスと前記第２のネットワークデバイスは物理リンクを用いることによって接続され、
前記第１のネットワークデバイスは、請求項４から６のいずれか一項に記載のものであり、前記第２のネットワークデバイスは、請求項９または１０に記載のものである
ネットワークシステム。
【請求項１２】
プロセッサを備えるチップであって、
前記プロセッサは、請求項１から３のいずれか一項に記載の方法を実行するように、コンピュータプログラムを実行するよう構成される
チップ。
【請求項１３】
プロセッサを備えるチップであって、
前記プロセッサは、請求項７または８に記載の方法を実行するように、コンピュータプログラムを実行するよう構成される
チップ。